(57)【要約】【課題】ブラシとコンミテータとの間への潤滑剤の付着を防止することで、モータを長期に亘って安定して駆動させることが可能なモータ回転軸支持用軸受を提供する。【解決手段】コンミテータ２からロータ４に電力を供給することで回転軸１０を回転させるモータの回転軸を支持するためのモータ回転軸支持用軸受6,8であって、ブラシ寄りに配置された軸受６には、その反ブラシ側に潤滑剤が封入されている。この場合、当該軸受は、回転軸に固定された内輪１２と、内輪に対向配置された外輪１４と、内外輪間に転動自在に組み込まれた複数の転動体１６と、複数の転動体を挟んでブラシ側と反ブラシ側のそれぞれに配置され且つ軸受内部を軸受外部から密封するための密封板18,20とを備えており、潤滑剤は、反ブラシ側の密封板２０と複数の転動体との間の空間Ｓ内に封入されている。【選択図】図１
2008232354.tif 000002
【特許請求の範囲】
【請求項１】
コンミテータからロータに電力を供給することで回転軸を回転させるモータの回転軸を支持するためのモータ回転軸支持用軸受であって、
ブラシ寄りに配置された軸受には、その反ブラシ側に潤滑剤が封入されていることを特徴とするモータ回転軸支持用軸受。
【請求項２】
ブラシ寄りに配置された軸受には、潤滑剤が封入された側を視認可能な構成が施されていることを特徴とする請求項１に記載のモータ回転軸支持用軸受。
【請求項３】
軸受は、回転軸に固定された内輪と、内輪に対向配置された外輪と、内外輪間に転動自在に組み込まれた複数の転動体と、複数の転動体を挟んでブラシ側と反ブラシ側のそれぞれに配置され且つ軸受内部を軸受外部から密封するための密封板とを備えており、
潤滑剤は、反ブラシ側の密封板と複数の転動体との間の空間内に封入されていることを特徴とする請求項２に記載のモータ回転軸支持用軸受。
【発明の詳細な説明】
【技術分野】
【０００１】
本発明は、モータの回転軸を支持するための軸受に関する。
【背景技術】
【０００２】
従来、例えば家電や工場設備に組み込まれたモータには、その回転軸を支持するための各種の軸受が用いられている。その一例として図１には、ブラシモータの構成が示されており、当該ブラシモータは、コンミテータ２からロータ(回転子)４に電力を供給することで、複数の軸受6,8で支持された回転軸１０を回転させるようになっている(例えば、特許文献１)。
【０００３】
ところで、このようなブラシモータでは、そのモータ駆動中に、ブラシ(図示しない)とコンミテータ２とが回転接触する際にブラシ摩耗粉が発生する場合がある。この場合、特にブラシ(コンミテータ２)寄りの軸受６に封入された潤滑剤(例えば、油、グリース)がブラシとコンミテータ２との間に付着すると、ブラシ摩耗粉がブラシとコンミテータ２との間に付着し易くなる。これにより、双方の接触不良や異常摩耗、異常音などの不具合が発生し、その結果、モータを長期に亘って安定して駆動させることが困難になってしまう虞がある。
【特許文献１】特開２００３−２８４２９３公報
【発明の開示】
【発明が解決しようとする課題】
【０００４】
本発明は、このような問題を解決するためになされており、その目的は、ブラシとコンミテータとの間への潤滑剤の付着を防止することで、モータを長期に亘って安定して駆動させることが可能なモータ回転軸支持用軸受を提供することにある。
【課題を解決するための手段】
【０００５】
このような目的を達成するために、本発明は、コンミテータからロータに電力を供給することで回転軸を回転させるモータの回転軸を支持するためのモータ回転軸支持用軸受であって、ブラシ寄りに配置された軸受には、その反ブラシ側に潤滑剤が封入されている。この場合、ブラシ寄りに配置された軸受には、潤滑剤が封入された側を視認可能な構成が施されている。
【０００６】
ここで、ブラシ側の軸受近傍に配置された軸受は、回転軸に固定された内輪と、内輪に対向配置された外輪と、内外輪間に転動自在に組み込まれた複数の転動体と、複数の転動体を挟んでブラシ側と反ブラシ側のそれぞれに配置され且つ軸受内部を軸受外部から密封するための密封板とを備えており、潤滑剤は、反ブラシ側の密封板と複数の転動体との間の空間内に封入されている。
【発明の効果】
【０００７】
本発明によれば、ブラシとコンミテータとの間への潤滑剤の付着を防止することで、モータを長期に亘って安定して駆動させることが可能なモータ回転軸支持用軸受を実現することができる。
【発明を実施するための最良の形態】
【０００８】
以下、本発明の一実施の形態に係るモータ回転軸支持用軸受について、添付図面を参照して説明する。本実施の形態は、図１に示されたブラシモータにおいて、ブラシ(コンミテータ２)寄りの軸受６の改良であるため、以下では、改良部分の説明にとどめる。
【０００９】
本実施の形態において、ブラシ寄りに配置された軸受６は、回転軸１０に固定された内輪１２と、内輪１２に対向配置された外輪１４と、内外輪12,14間に転動自在に組み込まれた複数の転動体１６と、複数の転動体１６を挟んでブラシ側と反ブラシ側のそれぞれに配置され且つ軸受内部を軸受外部から密封するための密封板18,20とを備えている。この場合、潤滑剤は、反ブラシ側の密封板２０と複数の転動体１６との間の空間Ｓ内に封入されている。
【００１０】
ここで、密封板２０としては、金属製のシールド(図２(ａ))、接触又は非接触シール(図２(ｂ),(ｃ))を適用することができる。なお、接触又は非接触シールは、心金２０ａにゴム材２０ｂを被覆して形成されている。また、ブラシ側の密封板１８は、反ブラシ側の密封板２０と同様の構成を適用することができるため、その説明は省略する。また、図面では、転動体１６として“玉”を例示したが、“ころ”が適用される場合もある。更に、軸受6,8において、保持器(図示しない)で各転動体１６を保持しても良い。
【００１１】
以上、本実施の形態によれば、ブラシ寄りに配置された軸受６の反ブラシ側に潤滑剤を封入したことで、当該軸受６に封入された潤滑剤(例えば、油、グリース)がブラシとコンミテータ２との間に付着することを防止することができる。この場合、ブラシモータの駆動中に、ブラシ(図示しない)とコンミテータ２とが回転接触する際にブラシ摩耗粉が発生しても、当該ブラシ摩耗粉がブラシとコンミテータ２との間に付着することは無い。これにより、双方の接触不良や異常摩耗、異常音などの不具合の発生を防止することが可能となり、その結果、モータを長期に亘って安定して駆動させることができる。
【００１２】
また、本実施の形態において、ブラシ寄りに配置された軸受６に、潤滑剤が封入された側を視認可能な構成を施しても良い。ここで、当該視認可能な構成としては、例えば軸受６の反ブラシ側の端面にのみマーキングを施したり、軸受６のブラシ側と反ブラシ側の双方の端面に施したマーキングを互いに違えたりすれば良い。また、例えばブラシ側と反ブラシ側の密封板18,20の種類を違えたり、ブラシ側と反ブラシ側の密封板18,20の色や材質を違えたりすれば良い。
【００１３】
なお、軸受６の端面とは、内輪１２や外輪１４の端面、密封板２０の軸受外部側の面などを想定することが可能であり、これらの面に例えばマル印やバツ印などのマーキングを施して、潤滑剤の封入側を視認させるようにしても良い。また、密封板18,20の種類を違える方法としては、例えば反フランジ側に金属製のシールドを配置し、フランジ側に非接触シールを配置したり、これとは逆に、反フランジ側に非接触シールを配置し、フランジ側に金属製のシールドを配置したりすることで、潤滑剤の封入側を視認させるようにしても良い。
【図面の簡単な説明】
【００１４】
【図１】ブラシモータの構成を概略的に示す図。
【図２】(ａ)〜(ｃ)は、本発明の一実施の形態に係るモータ回転軸支持用軸受の構成を一部拡大して示す断面図。
【符号の説明】
【００１５】
２  コンミテータ
４  ロータ
6,8  モータ回転軸支持用軸受
１０  回転軸
１２  内輪
１４  外輪
１６  転動体
18,20  密封板
Ｓ  空間
【図１】
2008232354.tif 000003
【図２】
2008232354.tif 000004